(57)【要約】【課題】レンズ鏡筒やカメラの小型化を図る。【解決手段】シャッタ装置１０１および鏡筒構成部材１４７がズーミングおよびフォーカシングによって光軸方向に相対的に移動可能なレンズ鏡筒であって、鏡筒構成部材１４７がシャッタ装置１０１との相対位置に応じて遮光部材２０８、２０９、２１３、２１４の動作面を含む光軸直交方向位置に対して進退可能であり、光軸直交方向位置に進入することで遮光部材と当接して遮光部材の最大開放口径を制限するとともに、光軸直交方向位置から退避することで遮光部材の最大開放口径を許容することにより遮光部材の最大開放口径を切り換える。【選択図】　図２７
2004054178.tif 000002
【特許請求の範囲】
【請求項１】
回転動作により光通過口を覆うとともに光通過口から退避可能な複数の遮光部材を有するシャッタ装置と、
鏡筒本体の一部を構成する鏡筒構成部材とを備え、
前記シャッタ装置および前記鏡筒構成部材が、ズーミングおよびフォーカシングによって光軸方向に相対的に移動可能なレンズ鏡筒であって、
前記鏡筒構成部材が、前記シャッタ装置との相対位置に応じて前記遮光部材の動作面を含む光軸直交方向位置に対して進退可能であり、
前記光軸直交方向位置に進入することで前記遮光部材と当接して前記遮光部材の最大開放口径を制限するとともに、前記光軸直交方向位置から退避することで前記遮光部材の最大開放口径を許容することにより前記遮光部材の最大開放口径を切り換えることを特徴とするレンズ鏡筒。
【請求項２】
前記複数の遮光部材のうち少なくとも１つの遮光部材が、光通過口から退避した状態にあるときに前記シャッタ装置の外側に突出する凸部を有しており、
前記鏡筒構成部材は、前記シャッタ装置の外周における前記光軸直交方向位置に進入することにより前記凸部と当接して前記遮光部材の最大開放口径を制限することを特徴とする請求項１に記載のレンズ鏡筒。
【請求項３】
前記シャッタ装置が、第１の凸部を有する第１の遮光部材と、第１の凸部よりも長い第２の凸部を有する第２の遮光部材とを有し、
前記鏡筒構成部材が、前記光軸直交方向位置に進入して前記第１の凸部に当接可能である第１の当接部と、この第１の当接部よりも光軸方向において短く、前記光軸直交方向位置に進入して前記第２の凸部に当接可能である第２の当接部とを有していることを特徴とする請求項２に記載のレンズ鏡筒。
【請求項４】
前記鏡筒構成部材が略円筒状に形成され、前記凸部の先端が曲面を有しており、
前記凸部の先端における曲率半径が、前記鏡筒構成部材の曲率半径よりも小さいことを特徴とする請求項２又は３に記載のレンズ鏡筒。
【請求項５】
前記鏡筒構成部材が、前記光軸直交方向に進入して互いに異なる遮光部材に当接可能な第１の当接部および第２の当接部を有しており、
前記第２の当接部が、前記第１の当接部よりも光軸方向に長く、この先端領域において前記第１の当接部よりも光軸から離れているように形成されていることを特徴とする請求項１から４のいずれかに記載のレンズ鏡筒。
【請求項６】
前記鏡筒構成部材の先端部が、光軸側に面する斜面を有することを特徴とする請求項１から５のいずれかに記載のレンズ鏡筒。
【請求項７】
前記鏡筒構成部材の内周面に、内面反射を防止する凹凸形状の複数の遮光線が形成されており、
前記鏡筒構成部材の内周面のうち前記遮光部材と当接する領域に形成された遮光線が、前記遮光部材の動作面に対して交わる方向に延びていることを特徴とする請求項１から６のいずれかに記載のレンズ鏡筒。
【請求項８】
前記鏡筒構成部材が、前記シャッタ装置を光軸方向に案内する部材であることを特徴とする請求項１から７のいずれかに記載のレンズ鏡筒。
【請求項９】
請求項１から８のいずれかに記載のレンズ鏡筒を有することを特徴とするカメラ。
【請求項１０】
被写体に照明光を照射する照明手段と、
この照明手段の駆動制御を行う制御手段とを備え、
所定のズームポジションにおいて第１の焦点調節領域および第２の焦点調節領域を有するカメラであって、
前記レンズ鏡筒が、前記シャッタ装置および前記鏡筒構成部材の相対位置を変えることにより、前記第１の焦点調節領域および前記第２の焦点調節領域における最大開放口径を切り換え可能であり、
前記制御手段は、前記第１の焦点調節領域の最大開放口径よりも小さい最大開放口径となる前記第２の焦点調節領域で撮影を行うときに、前記照明手段で照射光を照射することを特徴とする請求項９に記載のカメラ。
【発明の詳細な説明】
【０００１】
【発明の属する技術分野】
本発明は、遮光部材の最大開放口径をズームポジション等によって切り換えることができるレンズ鏡筒およびこれを備えたカメラに関するものである。具体的には、遮光部材の開き動作を阻止することにより複数の遮光部材によって形成される最大開放口径を変更できるようにしたものである。
【０００２】
【従来の技術】
従来の光量調節装置の絞りは、複数枚の絞り羽根からなる絞り機構や、絞り兼用のシャッタ羽根によって行われている。最近のカメラの小型化の流れに伴い、レンズシャッタカメラでは、このほとんどが絞り兼用のシャッタ羽根を用いた構成を採っている。
【０００３】
一方、ズーム比の大きなレンズ系を有するカメラでは、各焦点距離によって開放口径が異なるため、所定の開放口径で撮影を行う場合にはシャッタ羽根の開き量を制御する必要がある。ここで、シャッタ羽根の開き量を制限する機構としては、以下に示す従来技術がある。
【０００４】
特開２０００−３５２６５７号公報におけるズームレンズでは、直進筒のカム部材が、シャッタブロック内の規制レバーを光軸に平行な軸周りに回転させ、シャッタ羽根がその規制レバーに当接することでシャッタ羽根の最大開放開口を制限する機構が示されている。
【０００５】
また、特開２００１−４２３８４号公報におけるシャッタ装置では、光軸に平行な軸周りに回転可能な規制部材を一方向にバネ付勢し、シャッタ羽根回転用の駆動モータのトルク制御により絞り口径を切り換えている。すなわち、バネ付勢力を超えるトルクの場合は絞り口径が全開となり、バネ付勢力以下のトルクの場合は、規制部材にシャッタ羽根が当接して停止し、小さい絞り口径となる。
【０００６】
さらに、特開平９−３１１３６４号公報におけるシャッタ装置では、電気的制御によってシャッタアクチュエータの回転を途中で停止し、シャッタ羽根の最大開放開口を制限する機構が示されている。
【０００７】
【発明が解決しようとする課題】
しかしながら、上述した従来技術では、シャッタ羽根の駆動を途中で停止させるための専用部材が数多く必要となり、シャッタ装置やカメラが大型化したり、製造価格が上昇したりしてしまう。また、特開２０００−３５２６５７号公報等では、シャッタ羽根の駆動を途中で停止させる部材（規制レバー）が光軸と平行な軸周りに小さい回転角度で制御されているため、複数のズームポジション毎に開放口径を切り換えることが困難であるとともに、シャッタ羽根の開放口径の精度を高めることが困難である。
【０００８】
さらに、特開平９−３１１３６４号公報に示すように、シャッタ羽根を駆動するためのアクチュエータの回転角度を電気的に直接制御する構成においても、シャッタ羽根の開き動作をメカ的に制御する場合に比べてシャッタ羽根の開放口径の精度が劣る。
【０００９】
【課題を解決するための手段】
本発明は、回転動作により光通過口を覆うとともに光通過口から退避可能な複数の遮光部材を有するシャッタ装置と、鏡筒本体の一部を構成する鏡筒構成部材とを備え、シャッタ装置および鏡筒構成部材が、ズーミングおよびフォーカシングによって光軸方向に相対的に移動可能なレンズ鏡筒であって、鏡筒構成部材が、シャッタ装置との相対位置に応じて遮光部材の動作面を含む光軸直交方向位置に対して進退可能であり、光軸直交方向位置に進入することで遮光部材と当接して遮光部材の最大開放口径を制限するとともに、光軸直交方向位置から退避することで遮光部材の最大開放口径を許容することにより遮光部材の最大開放口径を切り換えることを特徴とする。
【００１０】
すなわち、レンズ鏡筒の一部を構成する既存の鏡筒構成部材を用いてシャッタ羽根の開き動作を開き途中で阻止したり許容したりすることにより、従来技術のように専用部材を用いることなくシャッタ羽根の開放口径を切り換えるようにして、レンズ鏡筒やカメラの大型化およびコストアップを防止するようにしている。
【００１１】
ここで、複数の遮光部材のうち少なくとも１つの遮光部材において、光通過口から退避した状態にあるときにシャッタ装置の外側に突出する凸部を設け、鏡筒構成部材を、シャッタ装置の外周における光軸直交方向位置に進入させて凸部と当接させることにより、遮光部材の最大開放口径を制限することができる。
【００１２】
また、シャッタ装置が、第１の凸部を有する第１の遮光部材と、第１の凸部よりも長い第２の凸部を有する第２の遮光部材とを有し、鏡筒構成部材が、光軸直交方向位置に進入して第１の凸部に当接可能である第１の当接部と、この第１の当接部よりも光軸方向において短く、光軸直交方向位置に進入して第２の凸部に当接可能である第２の当接部とを有する構成とすることができる。
【００１３】
このような構成においては、シャッタ装置および鏡筒構成部材の光軸方向における相対位置を変えることにより、第１の凸部を第１の当接部に当接させたり、第２の凸部を第２の当接部に当接させたりして遮光部材の開き動作を阻止するとともに、遮光部材の開き動作を許容することができる。これにより、例えば複数のズームポジションのうち各ズームポジション毎に遮光部材の最大開放口径を変えることができる。
【００１４】
一方、鏡筒構成部材に、光軸直交方向に進入して互いに異なる遮光部材に当接可能な第１の当接部および第２の当接部を設け、第２の当接部が、第１の当接部よりも光軸方向に長く、この先端領域において第１の当接部よりも光軸から離れているように構成することもできる。
【００１５】
このような構成においては、シャッタ装置および鏡筒構成部材の光軸方向における相対位置を変えることにより、遮光部材を第１の当接部に当接させたり、第２の当接部の先端領域に当接させたりすることができる。このように光軸からの距離が異なる部分に遮光部材を当接させることにより、複数のズームポジションのうち各ズームポジション毎に遮光部材の最大開放口径を変えることができる。
【００１６】
鏡筒構成部材が略円筒状に形成され、凸部の先端が曲面を有している場合において、凸部の先端における曲率半径を、鏡筒構成部材の曲率半径よりも小さくすることができる。これにより、凸部が鏡筒構成部材に当接する場合に点接触となり、遮光部材の停止位置が所定の位置に固定されるため、遮光部材の最大開放口径の精度を高めることができる。
【００１７】
また、鏡筒構成部材の先端部に、光軸側に面する斜面を設けることにより、開き状態にある遮光部材に鏡筒構成部材が衝突した場合であっても、遮光部材が斜面にガイドされて閉じ方向に移動する。これにより、鏡筒構成部材が遮光部材に衝突しても遮光部材に過度の負荷がかかることもなくなる。
【００１８】
さらに、鏡筒構成部材の内周面に、内面反射を防止する凹凸形状の複数の遮光線が形成されている場合において、鏡筒構成部材の内周面のうち遮光部材と当接する領域に形成された遮光線が、遮光部材の動作面に対して交わる方向に延びるようにすることができる。これにより、遮光部材が開いて鏡筒構成部材に当接しても、遮光部材の先端が遮光線の凹部にはまり込むことがなくなり、遮光部材の開閉動作をスムーズに行うことができる。
【００１９】
なお、鏡筒構成部材として、シャッタ装置を光軸方向に案内する部材を用いることができる。また、上述した本発明のレンズ鏡筒はカメラに備え付けることができる。
【００２０】
ここで、被写体に照明光を照射する照明手段と、この照明手段の駆動制御を行う制御手段とを備え、所定のズームポジションにおいて第１の焦点調節領域および第２の焦点調節領域を有するカメラであって、レンズ鏡筒が、シャッタ装置および鏡筒構成部材の相対位置を変えることにより、第１の焦点調節領域および第２の焦点調節領域における開放口径を切り換え可能であり、制御手段が、第１の焦点調節領域の開放口径よりも小さい開放口径となる第２の焦点調節領域で撮影を行うときに照明手段で照射光を照射することができる。
【００２１】
これにより、例えばワイド状態の至近側（第２の焦点調節領域）で撮影を行う際に、遮光部材の最大開放口径を小さくし、照明手段を発光させることにより、ピンボケおよび手振れのない写真撮影を行うことができる。
【００２２】
【発明の実施の形態】
（第１実施形態）
図１から３０を用いて本発明の第１実施形態であるレンズ鏡筒およびカメラについて説明する。
【００２３】
まず、レンズ鏡筒内に配置されるシャッタ装置について説明する。
【００２４】
図１は、本実施形態におけるシャッタ装置の分解斜視図である。このシャッタ装置は、シャッタロータ２０５を光軸周りに１０度往復回転させことで、４枚のシャッタ羽根（遮光部材）２０８、２０９、２１３、２１４を駆動し、光通過口の開閉動作を行う装置である。
【００２５】
このシャッタ装置の構造について説明する。シャッタロータ２０５は、リング状のプラスチックマグネットで構成されており、周方向にＳ極とＮ極が交互に合計１６極のパターンで着磁されている。シャッタヨーク２０２は、鉄等の磁性材料で構成されており、周方向８カ所に凸状に形成された外ヨーク２０２ａと、円筒状に形成された内ヨーク２０２ｂとを有している。
【００２６】
シャッタボビン２０４の台部２０４ａには、シャッタターミナルピン２０６ａ、２０６ｂが固定されている。シャッタボビン２０４の周方向に形成された凹部２０４ｂには、シャッタコイル２０３が巻きつけられ、シャッタコイル２０３の一端２０３ａは、シャッタターミナルピン２０６ａに巻きつけられて半田付けされる。また、シャッタコイル２０３の他端２０３ｂは、シャッタターミナルピン２０６ｂに巻きつけられて半田付けされる。
【００２７】
シャッタボビン２０４、シャッタコイル２０３、シャッタターミナルピン２０６ａ、２０６ｂが一体になったシャッタコイルユニットは、シャッタヨーク２０２における内ヨーク２０２ｂおよび外ヨーク２０２ａの間に形成された溝部に挿入される。また、シャッタロータ２０５がシャッタヨーク２０２の溝部に挿入される。
【００２８】
第２シャッタベース２０７はシャッタヨーク２０２に蓋をするように配置され、フランジ部２０７ｄが外ヨーク２０２ａに圧入嵌合されることにより、第２シャッタベース２０７がシャッタヨーク２０２に固定される。
【００２９】
ここで、シャッタロータ２０５の駆動軸２０５ａ、２０５ｂはそれぞれ、第２シャッタベース２０７の角穴部２０７ａ、２０７ｂを貫通して図１中後方に突出する。
【００３０】
第１シャッタ羽根２０８の穴部２０８ｂは、第２シャッタベース２０７の軸２０７ｃに嵌合し、長穴部２０８ａは、シャッタロータ２０５の駆動軸２０５ａに係合する。第２シャッタ羽根２０９の穴部２０９ｂは、第２シャッタベース２０７の軸（不図示、軸２０７ｃと同形状）に嵌合し、長穴部２０９ａは、シャッタロータ２０５の駆動軸２０５ａに係合する。
【００３１】
ここで、シャッタロータ２０５の回転に伴う駆動軸２０５ａおよび長穴部２０８ａ、２０９ａの係合作用により、第１シャッタ羽根２０８および第２シャッタ羽根２０９はそれぞれ、軸（２０７ｃ）を中心に回転する。
【００３２】
第３シャッタ羽根２１３の穴部２１３ｂは、第２シャッタベース２０７の軸（不図示、軸２０７ｃと同形状）に嵌合し、長穴部２１３ａは、シャッタロータ２０５の駆動軸２０５ｂに係合する。第４シャッタ羽根２１４の穴部２１４ｂは、第２シャッタベース２０７の軸（不図示、軸２０７ｃと同形状）に嵌合し、長穴部２１４ａは、シャッタロータ２０５の駆動軸２０５ｂに係合する。
【００３３】
ここで、シャッタロータ２０５の回転に伴う駆動軸２０５ｂおよび長穴部２１３ａ、２１４ａの係合作用により、第３シャッタ羽根２１３および第４シャッタ羽根２１４はそれぞれ、軸を中心に回転する。
【００３４】
シャッタ羽根２０８、２０９、２１３、２１４およびシャッタコイルユニットが取り付けられた第２シャッタベース２０７には、この前方から第１シャッタベース２０１が取り付けられ、後方からシャッタ板２１１が取り付けられる。
【００３５】
シャッタ板２１１の周方向３箇所には光軸方向に延びる腕部が形成されており、この腕部に形成された角穴部２１１ａには、第１シャッタベース２０１の周方向３箇所に形成された突起部２０１ａが係合する。
【００３６】
シャッタバネ２１２のコイル部は、シャッタ板２１１のバネ掛け部２１１ｂにはめ込まれ、シャッタバネ２１２の一端２１２ａは、シャッタ板２１１のボス２１１ｃに係合し、他端２１２ｂは、シャッタロータ２０５の駆動軸２０５ａに当接する。これにより、シャッタバネ２１２は、他端２１２ｂにおいて駆動軸２０５ａを図１中反時計方向（「閉」）に付勢する。このとき、シャッタ羽根２０８、２０９、２１３、２１４は、光通過口（第２シャッタベース２０７の開口部２０７ｅやシャッタ板２１１の開口部２１１ｆ）を覆った状態となる。
【００３７】
次に、上述した構成のシャッタ装置におけるシャッタ羽根の開閉動作について説明する。
【００３８】
シャッタコイル２０３に電流を流さない時は、シャッタロータ２０５は、シャッタバネ２１２のバネ力を受けて図１中反時計周りに回転し、駆動軸２０５ａが第２シャッタベース２０７の角穴部２０７ａの左端面に当接した位置で停止している。このとき、４枚のシャッタ羽根２０８、２０９、２１３、２１４は、第２シャッタベース２０７の開口部２０７ｅを覆っており、シャッタは閉じた状態にある（図１７）。
【００３９】
シャッタコイル２０３に直流電流を流すと、１６極に着磁されたシャッタロータ２０５およびシャッタヨーク２０２の外ヨーク２０２ａの磁気作用によって、シャッタロータ２０５に図１中時計方向（「開」）の回転力が発生する。この回転力によりシャッタロータ２０５は、シャッタバネ２１２の付勢力に打ち勝って時計方向に１０度回転し、駆動軸２０５ａが第２シャッタベース２０７における角穴部２０７ａの右端面に当接した位置で停止する。
【００４０】
このとき、４枚のシャッタ羽根は、第２シャッタベース２０７の開口部２０７ｅに対して径方向外側に退避し、シャッタ羽根は開いた状態となる（図１９）。ここで、シャッタ羽根が開いた状態（図１９）において、第１シャッタ羽根２０８の当接突起部（凸部）２０８ｃは、シャッタ板２１１の切欠き部２１１ｄから径方向外側に飛び出した状態となる。
【００４１】
シャッタコイル２０３への通電を停止すれば、シャッタロータ２０５はシャッタバネ２１２のバネ力を受けて回転し、シャッタ羽根は閉じ状態（図１７）に戻る。
【００４２】
第２シャッタベース２０７の開口部２０７ｅを通過する光量を少なくなるように制御する場合には、シャッタ羽根が閉じている初期状態でシャッタコイル２０３に通電し、シャッタ羽根が完全に開ききる前にシャッタコイル２０３の通電を停止してシャッタバネ２１２のバネ力によりシャッタ羽根を閉じるようにすることで行うことができる。また、シャッタ羽根が完全に開ききる前に、シャッタコイル２０３に逆方向の電流を流してシャッタロータ２０５およびシャッタヨーク２０２の磁気作用とシャッタ羽根２１２のバネ力とによりシャッタ羽根を閉じるようにすることで行うこともできる。
【００４３】
このような制御を行った場合、小さい開放口径と高速のシャッタスピードでの撮影が可能となる。
【００４４】
一方、被写体が暗い等の撮影条件下において、開口部２０７ｅを通過する光量が多くなるように制御する場合、まずシャッタ羽根が閉じている初期状態でシャッタコイル２０３に通電することにより、シャッタロータ２０５を図１中時計方向に１０度回転させて、駆動軸２０５ａが第２シャッタベース２０７における角穴部２０７ａの右端面に当接した位置で停止させる。
【００４５】
この状態でシャッタコイル２０３への通電を続けて、光が通過する開放口径が開口部２０７ｅの大きさのままとなるように保持する。そして、露光に必要な光量が開口部２０７ｅを通過した時点で、シャッタコイル２０３への通電を停止することにより、シャッタロータ２０５をシャッタバネ２１２のバネ力により図１中反時計方向に回転させてシャッタ羽根を閉じ状態とする（図１７）。
【００４６】
次に、図２および図３を用いて本実施形態におけるレンズ鏡筒の構成について説明する。本実施形態のレンズ鏡筒は、いわゆる差動筒を２つ備えた３段沈胴式レンズ鏡筒である。
【００４７】
１４１は、カメラ本体１５９（図４）にフランジ部１４１ｂを介して固定される固定筒である。この固定筒１４１の内周面には、メスヘリコイド１４１ａが形成されている。固定筒１４１の前面には、固定遮光ゴム１７０、固定遮光シート１７１および固定カバー１７２が配置される。
【００４８】
１４２は第１差動筒であり、後端外周部１４２ａにはメスヘリコイド１４１ａと係合するオスヘリコイドと、長軸ギア１２０と噛み合うギアとが重なって形成されている。第１差動筒１４２は、メスヘリコイド１４１ａおよびオスヘリコイドの係合作用により光軸周りに回転しながら光軸方向に進退可能となっている。第１差動筒１４２の前面には、第１遮光ゴム１７３および第１遮光シート１７４が配置される。
【００４９】
１４３は第１直進筒であり、第１差動筒１４２の内側に配置され、第１差動筒１４２の光軸周りの回転に対して摺動可能となっている。第１直進筒１４３の台部１４３ｄに形成されたピン部１４３ｅは、固定筒１４１の直進溝１４１ｄに係合する。
【００５０】
第１差動筒１４２を回転させるズームギアユニットは、図３に示すように固定筒１４１に固定、支持される。ズームギアユニットのうち長軸ギア１２０は、この両端部が固定筒１４１の穴部１４１ｃに嵌合することで固定筒１４１に回転可能に保持されている。
【００５１】
モータ１０８の回転軸には、第１ギア３０１が圧入され、この第１ギア３０１は第２ギア３０２と噛み合う。第２ギア３０２は第３ギア３０３と噛み合い、第３ギア３０３は第４ギア３０４と噛み合う。
【００５２】
スリップバネ３０５は、第４ギア３０４と第５ギア３０６の間に配置され、スリップバネ３０５の変形による摩擦力で、第４ギア３０４および第５ギア３０６を一体的に回転可能としている。ここで、第４ギア３０４又は第５ギア３０６にスリップバネ３０５の摩擦力を超える大きなトルクが加わると、第４ギア３０４と第５ギア３０６が互いに滑り合うことでモータ１０８への過剰な力の伝達を防止している。
【００５３】
第５ギア３０６は、第６ギア３０７に噛み合い、第６ギア３０７は、長軸ギア１２０に噛み合っている。
【００５４】
第１ズーム段スイッチ３１０の先端部３１０ａは、通常、第２ズーム段スイッチ３１１の中間部３１１ｂと接触しており、電気信号的にオン状態にある。ここで、第６ギア３０７がモータ１０８の駆動力を受けて回転すると、立体カム部３０７ａが第２ズーム段スイッチ３１１の接触部３１１ａを押し上げることにより、先端部３１０ａおよび中間部３１１ｂが非接触となり、電気信号的にオフ状態になる。この電気信号のオンからオフへの切り換えは、ズーミング時の各焦点距離ごとに行われ、これによりズーミング中の焦点距離情報がカメラ本体側に伝達される。
【００５５】
第１ギア３０１から第６ギア３０７で構成されるギア列の両端には、第１ズームベース３０８および第２ズームベース３０９が配置されており、これらのズームベース３０８、３０９が固定筒１４１にネジ止めされることにより、ギア列が固定筒１４１に固定される。
【００５６】
第１沈胴端スイッチ３１２および第２沈胴端スイッチ３１３は、固定筒１４１の下部に固定されており、レンズ鏡筒が繰り出して撮影状態にあるときには、先端部３１２ａおよび先端部３１３ａが接触して電気信号的にオン状態となっている。一方、レンズ鏡筒が撮影状態から非撮影状態に繰り込むと、第１直進筒１４３の後端部が第１沈胴端スイッチ３１２の凸部３１２ａを押し下げることにより、先端部３１２ａおよび先端部３１３ａを非接触状態にして電気信号的にオフ状態となる。
【００５７】
この第１沈胴端スイッチ３１２および第２沈胴端スイッチ３１３によるオン／オフ信号はカメラ本体側に出力され、カメラ本体はレンズ鏡筒が撮影状態又は非撮影状態のいずれの状態にあるかを判別する。
【００５８】
長軸ギア１２０にモータ１０８からの駆動力が伝達されると、長軸ギア１２０とギア結合している第１差動筒１４２は、長軸ギア１２０の回転に応じて光軸周りに回転する。ここで、第１差動筒１４２は、固定筒１４１のメスヘリコイド１４１ａとのヘリコイド結合により、光軸周りに回転しながら光軸方向に進退する。
【００５９】
第１直進筒１４３は、ピン部１４３ｅが固定筒１４１の直進溝１４１ｄに係合し、第１差動筒１４２の回転に対して摺動可能となっているため、第１差動筒１４２の光軸方向への進退による影響だけを受けて光軸方向にのみ進退する。
【００６０】
１４４は第２差動筒であり、第１直進筒１４３の内側に組み込まれる。第２差動筒１４４の外周面に形成された複数のオスヘリコイド１４４ｄは、第１直進筒１４３の内周面に形成された複数の第２カム溝１４３ａに係合する。第２差動筒１４４の前面には、第２遮光ゴム１７５および第２遮光シート１７６が配置される。
【００６１】
第２差動筒１４４の外周に形成された穴部１４４ａに固定された駆動ピン１５１は、第１直進筒１４３に形成された第１カム溝１４３ｂを貫通して、第１差動筒１４２の内周面に形成された直線溝１４２ｃに係合する。第２差動筒１４４の内側には第２直進筒（鏡筒構成部材）１４７が組み込まれており、この第２直進筒１４７は、第２差動筒１４４の光軸周りの回転に対して摺動可能となっている。
【００６２】
第２直進筒１４７のフランジ部１４７ｂには、この周方向に複数のキー部１４７ａが形成されており、これらのキー部１４７ａは第１直進筒１４３の内周面に形成された複数の直線溝１４３ｃに係合する。
【００６３】
上述した構成において、第１差動筒１４２が光軸周りに回転すると、駆動ピン１５１および直進溝１４２ｃの係合作用と、第２直進筒１４４のオスヘリコイド１４４ｄおよび第１直進筒１４３の第２カム溝１４３ａの係合作用とにより、第２差動筒１４４が光軸周りに回転しながら光軸方向に進退する。ここで、第２直進筒１４７は、第２差動筒１４４の回転に対して摺動可能となっているため、光軸方向にのみ進退する。
【００６４】
１群レンズ鏡筒１４５の外周に形成された１群ヘリコイド１４５ａは、第２差動筒１４４の内周面に形成された第２カム溝１４４ｂに係合する。また、第２レンズ群１５２を保持する２群レンズホルダー１４８の外周に設けられた３本の２群カムピン１４８ａは、第２差動筒１４４の内周面に形成された第３カム溝１４４ｃに係合する。
【００６５】
第２差動筒１４４が光軸周りに回転すると、１群レンズ鏡筒１４５は、１群ヘリコイド１４５ａおよび第２カム溝１４４ｂの係合作用により光軸方向に進退し、モータ１０８の駆動量に応じて所定の位置まで移動可能である。また、２群レンズホルダー１４８は、２群カムピン１４８ａおよび第３カム溝１４４ｃの係合作用により光軸方向に進退し、モータ１０８の駆動量に応じて所定の位置まで移動可能である。なお、２群レンズホルダー１４８の前面には、２群マスク１５５が配置される。
【００６６】
ここで、２群バネ１５３は、２群レンズホルダー１４８の角穴部１４８ｂに係合し、２群カムピン１４８ａを２群レンズホルダー１４８の径方向外側に付勢することにより、第３カム溝１４４ｃと２群カムピン１４８ａのガタを無くしている。
【００６７】
次に、シャッタ装置の周りに配置される部品について説明する。
【００６８】
図２において、１群レンズホルダー１６１の内部には、４枚の第１レンズ群１６０が配置されており、外周部１６１ａにはスポンジ１６２が配置される。この１群レンズホルダー１６１は、図１に示す第１シャッタベース２０１の内部に配置されて固定される。すなわち、１群調整バネ１６３を、１群レンズホルダー１６１の外周に形成された腕部１６１ｂと第１シャッタベース２０１の凹部２０１ｃとで挟み込み、１群調整ネジ１６４を腕部１６１ｂおよび凹部２０１ｃに所定のねじこみ量でネジ止めすることにより、１群レンズホルダー１６１が固定される。
【００６９】
１群レンズホルダー１６１を保持する第１シャッタベース２０１を含むシャッタ装置は、１群レンズ鏡筒１４５の図２中後方からこの内部に挿入されて固定される。すなわち、不図示のネジが１群レンズ鏡筒１４５の穴部１４５ｂを貫通して、第１シャッタベース２０１の雌ネジ部２０１ｂにねじ込まれることにより、シャッタ装置が１群レンズ鏡筒１４５に固定される。１群レンズ鏡筒１４５の前面には、１群カバー１７７が固定される。
【００７０】
次に上述した構成のレンズ鏡筒を備えたカメラの構成および動作について説明する。
【００７１】
レンズ鏡筒が図４に示す沈胴状態にあるとき、固定筒１４１とヘリコイド結合している第１差動筒１４２は、固定筒１４１の前面から繰り出されていない。このとき、第２差動筒１４４の駆動ピン１５１は、図８に示すように第１直進筒１４３における第１カム溝１４３ｂのうち１４３ｂ１に示す位置にある。
【００７２】
第１レンズ群１６０を保持する１群レンズ鏡筒１４５の外周に形成された１群ヘリコイド１４５ａは、図１０に示すように第２差動筒１４４における第２カム溝１４４ｂのうち１４４ｂ１に示す位置にあり、１群レンズ鏡筒１４５は第２差動筒１４４に対して光軸方向に繰り出されていない。
【００７３】
また、第２レンズ群１５２を保持する２群レンズホルダー１４８の外周に設けられた３本の２群カムピン１４８ａは、第２差動筒１４４における第３カム溝１４４ｃのうち１４４ｃ１に示す位置にある。
【００７４】
以上より、レンズ鏡筒が沈胴状態にあるときには、１群レンズ鏡筒１４５は固定筒１４１から繰り出していない。
【００７５】
第１差動筒１４２の後端外周部１４２ａには、上述したようにオスヘリコイドとギアが重なるように形成されており、ギアが長軸ギア１２０に噛み合っている。長軸ギア１２０は、第６ギア３０７から第１ギア３０１までのギア列を介してモータ１０８に連結している。
【００７６】
図４において、３０１ａは６枚のプロペラをもつパルス板部で、１２２はパルス板部３０１ａのプロペラが通過するのを検知するためのＰＩ（フォトインターラプター）、１１０はＰＩ１２２の出力を検出するパルス検出回路である。１１１はモータコントロール回路であり、コンパレータ１１２ａの出力によりモータ正転用通電回路を形成し、コンパレータ１１２ｂの出力によりモータ逆転用通電回路を形成するように構成されている。
【００７７】
１３０は２段ストロークで構成されるレリーズボタンであり、撮影者操作に応じてズーミング信号処理回路１１５に第１ストローク又は第２ストロークの状態信号を出力する。
【００７８】
１１３はマイコン（制御手段）で、被写体距離検出回路１１４及びズーミング信号処理回路１１５からの出力信号により、下記表１で示すように第１差動筒１４２の回転量の演算を行なう。ここで、本実施形態のカメラにおいては、ワイドの３５ｍｍ、Ｍ（ミドル）１の５０ｍｍ、Ｍ２の７０ｍｍ、Ｍ３の１０５ｍｍ、テレの１５０ｍｍの焦点距離の切り換えが可能である。
【００７９】
【表１】
2004054178.tif 000003
【００８０】
１１６はロジックコントロール回路であり、撮影者がレリーズボタン１３０を第１ストロークまで押圧操作することにより、モータコントロール回路１１１のモータ正転用通電回路を作動準備状態にする。一方、レリーズボタン１３０の撮影者操作が断たれると、モータコントロール回路１１１のモータ逆転用通電回路を作業準備状態にする。
【００８１】
また、ロジックコントロール回路１１６は、撮影者がレリーズボタン１３０を第１ストロークまで押圧操作して電源スイッチが入ると、測距モジュール１１７に起動信号を出力するとともに、測距モジュール１１７による測距動作が終了するまでの十分な時間を経た後にモータコントロール回路１１１にモータ起動信号を出力する。
【００８２】
被写体距離検出回路１１４は、測距モジュール１１７で得られた被写体距離情報をデジタル化してマイコン１１３に入力する。
【００８３】
１１８はズーミング操作部材で、焦点距離を３５ｍｍ〜１５０ｍｍの間で変化させるために撮影者操作される部材である。ズーミング信号処理回路１１５は、ズーミング操作部材１１８が操作されている時間を検出し、この検出結果を表１に示すように０〜５０までに数値化してマイコン１１３に出力する。
【００８４】
１１９ａはファインダ表示制御回路であり、マイコン１１３の制御信号に基づいてカメラ本体に設けられた不図示のファインダ表示部に所定の情報を表示する。１１９ｂは磁気記録回路であり、マイコン１１３の制御信号に基づいて所定の撮影情報をフィルムの磁気記録部に記録する。
【００８５】
次に、図４に示す沈胴状態から図５に示すワイド待機状態までの動作について説明する。
【００８６】
撮影者がカメラ本体のスイッチ（不図示）をオン状態にすると、第１差動筒１４２にモータ１０８からの駆動力が伝達され、第１差動筒１４２は固定筒１４１とのヘリコイド結合により光軸周りに回転しながら光軸方向に繰り出す。
【００８７】
第２差動筒１４４の駆動ピン１５１は、図８において、第１カム溝１４３ｂのうち位置１４３ｂ１から位置１４３ｂ５に一旦移動した後に位置１４３ｂ２まで戻る。これにより、第２差動筒１４４は、位置１４３ｂ１と位置１４３ｂ２との間における光軸方向の距離の分だけ第１直進筒１４３に対して繰り出す。
【００８８】
１群レンズ鏡筒１４５の１群ヘリコイド１４５ａは、図１０において、第２カム溝１４４ｂのうち位置１４４ｂ１から位置１４４ｂ５に一旦移動した後に位置１４４ｂ２まで戻る。
【００８９】
すなわち、１群ヘリコイド１４５ａは、図１１の矢印Ｚで示すように、まずモータ１０８の正回転によりＡ位置からＤ位置およびＢ位置を通り過ぎてＣ位置まで移動する。そして、モータ１０８の停止・逆回転によりＣ位置からＤ位置まで戻る。このＤ位置がワイド待機状態となる。
【００９０】
これにより、１群レンズ鏡筒１４５は、位置１４４ｂ１と位置１４４ｂ２との間における光軸方向の距離の分だけ第２差動筒１４４に対して繰り出す。
【００９１】
２群レンズホルダー１４８の２群ピン１４８ａは、図１０において、第３カム溝１４４ｃのうち位置１４４ｃ１から位置１４４ｃ２まで移動する。これにより、２群レンズホルダー１４８は、位置１４４ｃ１と位置１４４ｃ２との間における光軸方向の距離の分だけ第２差動筒１４４に対して繰り込む。
【００９２】
上述した動作により、レンズ鏡筒は沈胴状態（図４）からワイド待機状態（図５）となる。
【００９３】
次に、レンズ鏡筒がワイド状態にあるときのカメラの撮影動作について説明する。
【００９４】
ワイド状態において、撮影者がレリーズボタン１３０を第１ストロークまで押圧操作すると、まずロジックコントロール回路１１６の出力信号により測距モジュール１１７において測距動作が行なわれる。そして、測距モジュール１１７の測距結果が被写体距離検出回路１１４に送られ、デジタル化された後にマイコン１１３に出力される。一方、撮影時の焦点距離情報（ワイド）を示すデジタル信号はズーミング信号処理回路１１５の出力としてマイコン１１３加えられる。
【００９５】
マイコン１１３は、被写体距離検出回路１１４およびズーミング信号処理回路１１５の出力に応じて表１に示すような演算を行なう。例えば、被写体距離が４ｍの位置（出力信号「１」）であり、焦点距離がワイドのｆ＝３５ｍｍ（出力信号「１０」）であるとすると、マイコン１１３は表１に示すように両者の信号を合わせた「１１」の数字を記憶し、この値をコンパレータ１１２ａの基準値とする。
【００９６】
モータコントロール回路１１１は、ロジックコントロール回路１１６からの出力信号に基づいてモータ１０８を正回転させることにより、レンズ鏡筒がワイド状態からテレ状態となるように第１差動筒１４２を光軸周りに回転させる。モータ１０８の回転は、パルス板部３０１ａおよびＰＩ１２２においてパルス化され、このパルス信号がパルス検出回路１１０で検出されてコンパレータ１１２に出力される。
【００９７】
モータ１０８の正回転に応じて次々とパルス信号が出力され、やがてパルス数が１１を数えると、コンパレータ１１２ａが反転して終了信号が出力される。これにより、モータコントロール回路１１１はモータ１０８の両端をショートすることにより、モータ１０８に電気ブレーキをかけて停止させる。
【００９８】
上述したモータ１０８の回転制御により、第１差動筒１４２は固定鏡筒１４１とのヘリコイド結合により光軸方向に繰り出す。第２差動筒１４４の駆動ピン１５１は、図８において、モータ１０８の回転量に応じて第１カム溝１４３ｂのうち位置１４３ｂ３（無限位置）から位置１４３ｂ４（至近位置）の間における被写体距離に応じた所定の位置に停止する。
【００９９】
このとき、１群レンズ鏡筒１４５の１群ヘリコイド１４５ａは、図１０において、第２カム溝１４４ｂのうち位置１４４ｂ３（無限）から位置１４４ｂ４（至近）の間における被写体距離に応じた所定の位置に移動する。すなわち、図１１の矢印Ｆ’に示すように、Ｄ位置にある１群ヘリコイド１４５ａは、レリーズボタン１３０の第１ストローク操作に応じて、Ｅ位置（ＤＣ間の所定の位置）に移動して停止する。
【０１００】
また、２群レンズホルダー１４８の２群カムピン１４８ａは、図１０において、第３カム溝１４４ｃのうち位置１４４ｃ３（無限）から位置１４４ｃ４（至近）の間における被写体距離に応じた所定の位置まで移動する。すなわち、図１１の矢印Ｆ’に示すように、Ｄ位置にある２群カムピン１４８ａは、レリーズボタン１３０の第１ストローク操作に応じてＥ位置に移動して停止する。
【０１０１】
上述したレンズ鏡筒の繰り出し動作により、１群レンズ鏡筒１４５に保持されている第１レンズ群１６０と２群レンズホルダー１４８に保持されている第２レンズ群１５２は光軸方向に進退し、無限から至近の間にある被写体に対して焦点調節が行われる。
【０１０２】
焦点調節が行われた後、撮影者がレリーズボタン１３０を第２ストロークまで押圧操作すると、シャッタ羽根の開閉動作によりフィルムへの露光動作が行われる。そして、レリーズボタン１３０が操作される前の状態に復帰すると、ロジックコントロール回路１１６の指令を受けたモータコントロール回路１１１の出力信号によりモータ１０８が逆回転する。これにより、第１差動筒１４２は、レンズ鏡筒がワイド待機状態となるように回転し、焦点調節前の初期位置に戻る。
【０１０３】
ここで、図１１の矢印Ｆ’に示すように、Ｅ位置にある１群レンズ鏡筒１４５の１群ヘリコイド１４５ａや２群レンズホルダー１４８の２群カムピン１４８ａは、Ｄ位置まで戻って停止する。
【０１０４】
第１差動筒１４２が初期位置に戻ると、コンパレータ１１２ｂが反転してモータ１０８が停止する。そして、公知の巻上手段によりフィルムが１駒分巻上げられて、カメラ本体はレリーズボタン１３０が押圧操作される前の状態となる。
【０１０５】
なお、本実施形態では、ズームポジションを焦点距離３５〜１５０ｍｍの間の５点にしたが、この点数は多くしても少なくしてもよい。
【０１０６】
また、本実施形態では、パルス板部３０１ａおよびパルス検出回路１１０を設けて撮影レンズの位置検出を行ない、モータ１０８の停止タイミングを決定しているが、これに限定されるものではない。例えば、モータ１０８にパルスモータを用い、マイコン１１３からの出力パルスの数に応じてパルスモータを回転させることにより、撮影レンズの位置を決めるようにしてもよい。このようにすれば、パルス板部３０１ａ、パルス検出回路１１０、コンパレータ１１２ａを用いる必要がなくなり、マイコン１１３の出力をモータコントロール回路１１１に直接入力させるようにすることで撮影レンズの位置を制御することができる。
【０１０７】
次に、ズームポジションをワイドからＭ２に切り換える際のズーミング動作と、Ｍ２における撮影動作について説明する。
【０１０８】
撮影レンズがワイド位置にある状態において、撮影者がズーミング操作部材１１８を所定時間操作し続けることにより、ズーミング信号処理回路１１５がズームポジションをＭ２と判別した場合には、撮影レンズをＭ２に応じた位置に移動させるためにモータ１０８の正回転させる。これにより、１群ヘリコイド１４５ａおよび２群カムピン１４８ａは、図１１の矢印Ｚ’で示すように、Ｄ位置からＣ位置、Ｇ位置を通過して、Ｆ位置まで移動する。
【０１０９】
１群ヘリコイド１４５ａおよび２群カムピン１４８ａがＦ位置まで移動すると、モータ１０８の正回転を停止し逆回転させることにより、１群ヘリコイド１４５ａおよび２群カムピン１４８ａをＧ位置まで戻す。
【０１１０】
レンズ鏡筒がＭ２状態にある場合において、撮影者がカメラ本体のレリーズボタン１３０を第１ストロークまで押圧操作すると、マイコン１１３は被写体距離に応じた焦点調節を行うためにモータ１０８を駆動する。モータ１０８の駆動力は、第１差動筒１４２に伝達され、１群レンズ鏡筒１４５の１群ヘリコイド１４５ａは、図１１の矢印Ｆ”に示すように第２カム溝１４４ｂにおけるＧ位置からＨ位置まで移動する。
【０１１１】
また、２群レンズホルダー１４８の２群カムピン１４８ａは、図１１の矢印Ｆ”に示すように第３カム溝１４４ｃにおけるＧ位置からＨ位置まで移動する。
【０１１２】
１群ヘリコイド１４５ａおよび２群カムピン１４８ａがそれぞれ、Ｈ位置に移動することにより焦点調節が行われる。そして、レリーズボタン１３０が第２ストロークまで押圧操作されると、シャッタ羽根の開閉動作により露光が行われる。露光動作が終了すると、１群ヘリコイド１４５ａおよび２群カムピン１４８ａはそれぞれ、図１１のＧ位置まで移動し、フィルムの１駒巻き上げ動作が行われる。
【０１１３】
次に、ズームポジションをＭ２からテレまで切り換えるときのズーミング動作と、テレ状態における撮影動作について説明する。
【０１１４】
撮影レンズがＭ２位置にある状態において、撮影者がズーミング操作部材１１８を所定時間操作し続けると、ズーミング信号処理回路１１５がズームポジションの判別を行う。ここで、ズーミング操作部材１１８の操作がテレ方向への操作であって、この操作時間が０．６秒以上の場合には、ズームポジションをテレと判別する。
【０１１５】
ズームポジションをテレと判別した場合、撮影レンズをテレに応じた位置に移動させるためにモータ１０８を正回転させる。これにより、Ｇ位置にある１群ヘリコイド１４５ａおよび２群カムピン１４８ａは、図１２の矢印Ｚに示すように、Ｉ位置およびＴ位置を超えてＳ位置まで移動する。
【０１１６】
１群ヘリコイド１４５ａおよび２群カムピン１４８ａがＳ位置まで移動すると、モータ１０８の正回転を停止し逆回転させることにより、１群ヘリコイド１４５ａおよび２群カムピン１４８ａをＴ位置まで戻す。
【０１１７】
レンズ鏡筒がテレ状態にある場合において、撮影者がカメラ本体のレリーズボタン１３０を第１ストロークまで押圧操作すると、マイコン１１３は被写体距離に応じた焦点調節を行うためにモータ１０８を駆動する。モータ１０８の駆動力は、第１差動筒１４２に伝達され、１群レンズ鏡筒１４５の１群ヘリコイド１４５ａは、図１２の矢印Ｆに示すように第２カム溝１４４ｂにおけるＴ位置からＵ位置まで移動する。
【０１１８】
また、２群レンズホルダー１４８の２群カムピン１４８ａは、図１２の矢印Ｆに示すように第３カム溝１４４ｃにおけるＴ位置からＵ位置まで移動する。
【０１１９】
１群ヘリコイド１４８ａおよび２群カムピン１４８ａがそれぞれ、Ｕ位置に移動することにより焦点調節が行われる。そして、レリーズボタン１３０が第２ストロークまで押圧操作されると、シャッタ羽根の開閉動作により露光が行われる。露光動作が終了すると、１群ヘリコイド１４５ａおよび２群カムピン１４８ａはそれぞれ、図１２のＴ位置まで移動し、フィルムの１駒巻き上げ動作が行われる。
【０１２０】
次に、本実施形態におけるシャッタ羽根の開放口径の切り換え動作について説明する。
【０１２１】
先ず、焦点距離がテレ状態にあるときのシャッタ羽根の動作を説明する。図１３は、テレ状態におけるレンズ鏡筒の外観斜視図である。図１４は、図１３において１群レンズ鏡筒１４５および第２差動筒１４４を省略した図で、レンズ鏡筒内部に配置されたシャッタ装置１０１および第２直進筒１４７が見えるようにしている。
【０１２２】
図１５は、テレ状態におけるシャッタ装置１０１および第２直進筒１４７の位置関係を示した図であり、図１６は、第２直進筒１４７の外観斜視図である。
【０１２３】
図１６において、第２直進筒１４７の内周面には、ワイド状態において第１シャッタ羽根２０８の当接突起部２０８ｃが当接する第１受け部（当接部）１４７ｆと、ワイド状態において第４シャッタ羽根２１４の当接突起部（凸部）２１４ｃが当接する第２受け部（当接部）１４７ｈとが形成されている。
【０１２４】
ここで、第２直進筒１４７の内周面のうち第１受け部１４７ｆおよび第２受け部１４７ｈ以外の領域には潤滑油が塗布されているが、この潤滑油が受け部１４７ｆ、１４７ｈに伝わってシャッタ羽根の当接突起部２０８ｃ、２１４ｃに付着しないように、第２直進筒１４７には縦溝１４７ｋ、１４７ｍが形成されている。
【０１２５】
また、第２直進筒１４７の内周面には、レンズ鏡筒内部における不要な光の反射を防止するために、凹凸形状の複数の遮光線が第２直進筒１４７の周方向に形成されている。ここで、第１受け部１４７ｆおよび第２受け部１４７ｈの領域には、遮光線が光軸方向に対して傾斜するように形成されている。
【０１２６】
仮に、第１受け部１４７ｆおよび第２受け部１４７ｈにおける遮光線が光軸方向に延びるように形成されていると、シャッタ羽根が開いた際にシャッタ羽根の当接突起部２０８ｃ、２１４ｃが遮光線の溝部にはまり込んでしまい、シャッタ羽根の開閉動作が不安定になってしまう。このため、遮光線を光軸方向に対して傾斜させることにより、シャッタ羽根の当接突起部２０８ｃ、２１４ｃが遮光線の溝部にはまり込むのを防止して、シャッタ羽根の開閉動作がスムーズに行われるようにしている。
【０１２７】
図１７は、シャッタ羽根が閉じ状態にあるときのシャッタ装置の正面図である。同図において、４枚のシャッタ羽根は一部において互いに重なり合っており、シャッタ板２１１の開口部２１１ｆを覆っている。このとき、第１シャッタ羽根２０８の当接突起部２０８ｃおよび第４シャッタ羽根２１４の当接突起部２１４ｃは、シャッタ板２１１の外周面よりも内側に位置している。
【０１２８】
第２シャッタ羽根２０９の先端部２０９ｃは、ＰＲ２１５の上に位置しており、ＰＲ２１５の発光部から発せられた赤外光は、反射率が低く黒色のシャッタ羽根２０９によって遮られているため、ＰＲ２１５の受光部に反射到達する光量は少なくなっている。このため、ＰＲ２１５からカメラ本体に伝達される信号はオフとなる。カメラ本体（マイコン１１３）は、ＰＲ２１５の出力信号に基づいて、シャッタ羽根が閉じ状態にあることを検出する。
【０１２９】
図１８は、テレ状態においてシャッタ羽根が閉じ状態にあるときのシャッタ装置の背面図である。シャッタバネ２１２は、このコイル部がシャッタ板２１１のバネ掛け部２１１ｂに係合し、一端２１２ａがシャッタ板２１１のボス２１１ｃに係合し、他端２１２ｂがシャッタロータ２０５の駆動軸２０５ａに当接している。
【０１３０】
これにより、シャッタバネ２１２は、シャッタ羽根が閉じる方向にシャッタロータ２５の駆動軸２０５ａを付勢し、この付勢力を受けた駆動軸２０５ａは、第２シャッタベース２０７の角穴部２０７ａの端面に当接して停止している。
【０１３１】
図１９は、シャッタ羽根が開き状態にあるときのシャッタ装置の正面図である。図１８に示す状態において、シャッタロータ２０５が１０度光軸周りに回転して、シャッタロータ２０５の駆動軸２０５ａ、２０５ｂが、４枚のシャッタ羽根を回動させることにより図１９に示す状態となる。
【０１３２】
図１９に示す状態において、第１シャッタ羽根２０８の当接突起部２０８ｃは、シャッタ板２１１の切り欠き部２１１ｄを貫通してシャッタ装置１０１の外側に突出している。また、第４シャッタ羽根２１４の当接突起部２１４ｃは、シャッタ板２１１の切り欠き部２１１ｅを貫通してシャッタ装置１０１の外側に突出している。
【０１３３】
図２０は、シャッタ装置１０１および第２直進筒１４７の外観斜視図であり、テレ状態においてシャッタ羽根が開いた状態を示している。同図において、第１シャッタ羽根２０８の当接突起部２０８ｃは、シャッタ装置１０１の外側に突出している。また、第２直進筒１４７の第１受け部１４７ｆは、第１シャッタ羽根２０８の当接突起部２０８ｃよりも光軸方向後方（像面側）に位置しており、第１シャッタ羽根２０８の開閉動作を妨げていない。
【０１３４】
図２１は、図２０に示す状態と同じ状態であって、シャッタ装置１０１および第２直進筒１４７を図２０とは異なる方向（下方向）から見た図である。同図において、第４シャッタ羽根２１４の当接突起部２１４ｃは、シャッタ装置１０１の外側に突出している。また、第２直進筒１４７の第２受け部１４７ｈは、第４シャッタ羽根２１４の当接突起部２１４ｃよりも光軸方向後方（像面側）に位置しており、第４シャッタ羽根２１４の開閉動作を妨げていない。
【０１３５】
図２２は、テレ状態においてシャッタ羽根が開き状態にあるときのシャッタ装置１０１の背面図である。また、図２３は、ワイド状態におけるレンズ鏡筒の外観斜視図であり、図２４は、ワイド状態におけるシャッタ装置１０１および第２直進筒１４７の外観斜視図である。
【０１３６】
ワイド状態では、図２４に示すようにシャッタ装置１０１および第２直進筒１４７が光軸方向において互いに近づき合って、第２直進筒１４７がシャッタ装置１０１の外周を覆うような位置関係となっている。ここで、第２直進筒１４７の第１受け部１４７ｆは、シャッタ板２１１の切り欠き部２１１ｄを覆っている。また、不図示であるが、第２受け部１４７ｈが、切り欠き部２１１ｅを覆っている。
【０１３７】
図２４に示すワイド状態において、シャッタ羽根を開くためにコイル２０３に通電してシャッタロータ２０５を回転させると、図２５に示すように、第１シャッタ羽根２０８の当接突起部２０８ｃが第２直進筒１４７の第１受け部１４７ｆに当接するとともに、第４シャッタ羽根２１４の当接突起部２１４ｃが第２受け部１４７ｈに当接する。
【０１３８】
このため、シャッタ羽根はこれ以上開くことができず、第２シャッタ羽根２０９および第３シャッタ羽根２１３によって形成される口径が、シャッタ羽根の最大開放口径となる。本実施形態では、ワイド状態におけるシャッタ羽根の最大開放口径が、テレ状態におけるシャッタ羽根の最大開放口径よりも小さくなっているため、ワイド状態においてシャッタ羽根の開き動作を開き途中で阻止する構成となっている。
【０１３９】
ここで、シャッタ羽根の当接突起部２０８ｃ、２１４ｃの曲率半径は、第２直進筒１４７の受け部１４７ｆ、１４７ｈの曲率半径よりも小さくなっている。これにより、当接突起部２０８ｃ、２１４ｃがそれぞれ、受け部１４７ｆ、１４７ｈに当接するときには、点接触となり接触位置が固定されるため、シャッタ羽根の開放口径の精度を高めることができる。
【０１４０】
図２７から図３０は、シャッタ羽根の開放口径の切り換え動作を説明するための模式図であり、シャッタ装置１０１および第２直進筒１４７を簡略化して示してある。
【０１４１】
図２７は、テレ状態であってシャッタ羽根が閉じ状態にあるときの模式図である。同図において、シャッタ装置１０１および第２直進筒１４７は、光軸方向において離れて位置している。この状態でシャッタ羽根が開くと、図２８に示すように、シャッタ羽根は全開する。ここで、シャッタ羽根の当接突起部２０８ｃ、２１４ｃは、第２直進筒１４７の受け部１４７ｆ、１４７ｈには当接しない。
【０１４２】
また、第２直進筒１４７の先端部であるシャッタ羽根受け面１４７ｇは、光軸側に面するように傾斜している。これにより、シャッタ羽根が開いた状態において第２直進筒１４７がシャッタ羽根に接近して衝突するような場合であっても、シャッタ羽根がシャッタ羽根受け面１４７ｇの斜面にガイドされて強制的に閉じるようになっている。
【０１４３】
ここで、シャッタ羽根に第２直進筒１４７が衝突したときに、シャッタ羽根が開いた状態のままであると、シャッタ羽根に過度の負荷がかかり、破損の恐れもあるが、本実施形態では、上述したようにシャッタ羽根がシャッタ羽根受け面１４７ｇによって閉じ方向に移動するため、シャッタ羽根に過度の負荷がかかることがない。また、シャッタ羽根に第２直進筒１４７が衝突してもシャッタ羽根は閉じ方向に移動するため、シャッタ羽根を開閉動作させることが可能である。
【０１４４】
次に、図２９に示すようにワイド状態になると、シャッタ装置１０１および第２直進筒１４７の光軸方向における距離は近づき、第２直進筒１４７がシャッタ装置１０１の外周に位置している。すなわち、第２直進筒１４７の受け部１４７ｆ、１４７ｈは、切り欠き部２１１ｄ、２１１ｅの光軸直交方向上に位置している。
【０１４５】
図２９に示すワイド状態において、シャッタ羽根を開こうとすると、図３０に示すように、シャッタ羽根の当接突起部２０８ｃ、２１４ｃがそれぞれ、第２直進筒の受け部１４７ｆ、１４７ｈに当接する。これにより、シャッタ羽根は完全に開く途中で停止し、シャッタ羽根の開放口径はテレ状態における開放口径よりも小さくなる。
【０１４６】
本実施形態によれば、シャッタ羽根の開き動作を阻止する部材として、シャッタ装置１０１を光軸方向に案内する第２直進筒１４７を用いており、従来術のように専用の部材を用いる必要がないため、部品点数を増やすことなく、ワイド状態およびテレ状態におけるシャッタ羽根の開放口径を切り換えることができる。なお、シャッタ羽根の開き動作を阻止する部材としては、第２直進筒１４７以外のレンズ鏡筒を構成する部材を用いることもできる。
【０１４７】
本実施形態では、２つのシャッタ羽根それぞれに形成された２つの当接突起部２０８ｃ、２１４ｃを第２直進筒１４７の受け部１４７ｆ、１４７ｈに当接させているため、１つの当接突起部を受け部に当接させる場合に比べてシャッタ羽根の開閉動作における第２直進筒１４７への衝突力を分散させることができ、第２直進筒１４７の一部に過度の負荷がかかるのを防止することができる。
【０１４８】
（第２実施形態）
図３１から図３４を用いて本発明の第２実施形態について説明する。ここで、図３１から図３３は、本実施形態においてシャッタ羽根の開放口径を切り換える動作を説明するための模式図であり、シャッタ装置１０１および第２直進筒１４７を簡略化して示している。なお、レンズ鏡筒における他の構成部材およびカメラ本体の構成については、第１実施形態と同様である。
【０１４９】
図３１は、テレ状態であってシャッタ羽根が閉じ状態にあるときの模式図である。同図において、第２直進筒１４７は、シャッタ装置１０１よりも像面側に位置している。
【０１５０】
第２直進筒１４７の第１受け部１４７ｆおよび第２受け部１４７ｈはそれぞれ、光軸からの距離が等しい位置にある。また、第１受け部１４７ｆは、第２受け部１４７ｈよりも光軸方向に延びており、第１受け部１４７ｆの端面１４７ｇが、第２受け部１４７ｈの端面１４７ｊよりも被写体側に位置している。なお、端面１４７ｇを第１実施形態におけるシャッタ羽根受け面と同様に傾斜させてもよい。
【０１５１】
第１シャッタ羽根２０８の当接突起部２０８ｃは、第４シャッタ羽根２１４の当接突起部２１４ｃよりも短く形成されており、シャッタ装置１０１から突出する量が小さくなっている。
【０１５２】
図３１に示すテレ状態において、シャッタ羽根の開き動作が行われると、シャッタ羽根は全開状態となる。ここで、シャッタ羽根の当接突起部２０８ｃ、２１４ｃは、第２直進筒１４７の受け部１４７ｆ、１４７ｈに当接することはない。
【０１５３】
一方、レンズ鏡筒のズーミング動作により、図３１に示すテレ状態から図３２に示すＭ１状態に切り換わると、シャッタ装置１０１および第２直進筒１４７が光軸方向に相対的に移動して両者の間隔が狭まる。このとき、第２直進筒１４７の第１受け部１４７ｆは、切り欠き部２１１ｄの光軸直交方向上に位置しており、シャッタ羽根を開こうとすると、第１シャッタ羽根２０８の当接突起部２０８ｃが第１受け部１４７ｆに当接する。
【０１５４】
なお、駆動ピン１５１は、図８に示すように位置１４３ｂ１８から位置１４３ｂ６に移動する。
【０１５５】
ここで、４枚のシャッタ羽根の開閉動作は、シャッタロータ２０５の回転によって行われており、１枚のシャッタ羽根の開き動作が阻止されると、シャッタ羽根全体の開き動作が阻止されることになる。
【０１５６】
これにより、第１シャッタ羽根２０８の開き動作は阻止される。したがって、Ｍ１状態における開放口径はテレ状態における開放口径よりも小さくなる。ここで、第２直進筒１４７の第２受け部１４７ｈは切り欠き部２１１ｅを覆う位置にないため、第４シャッタ羽根２１４の第２当接突起部２１４ｃは第２受け部１４７ｈに当接しない。
【０１５７】
また、図３２に示すＭ１状態からズーミング動作により図３３に示すワイド状態に切り換わると、シャッタ装置１０１および第２直進筒１４７の間隔は図３２に示す状態によりもさらに狭まる。このとき、第２直進筒１４７の第１受け部１４７ｆは切り欠き部２１１ｄの光軸直交方向上に位置しており、第２受け部１４７ｈは切り欠き部２１１ｅの光軸直交方向上に位置している。
【０１５８】
なお、駆動ピン１５１は、図８に示すように位置１４３ｂ６から位置１４３ｂ２に移動する。また、図１０に示すように、１群ヘリコイド１４５ａは位置１４４ｂ２に移動し、２群カムピン１４８ａは位置１４４ｃ２に移動する。
【０１５９】
ワイド状態において、シャッタ羽根を開こうとすると、第４シャッタ羽根２１４の当接突起部２１４ｃが第２受け部１４７ｈに当接する。これにより、シャッタ羽根の開き動作は阻止される。ここで、当接突起部２１４ｃは、当接突起部２０８ｃよりも長いため、シャッタ羽根の開放口径は、Ｍ１状態における開放口径よりも小さくなる。また、当接突起部２０８ｃは、当接突起部２１４ｃよりも短いため、第１受け部１４７ｆに当接することはない。
【０１６０】
実施形態によれば、当接突起部２０８ｃ、２１４ｃの長さを変えるとともに、受け部１４７ｆ、１４７ｈの光軸方向の長さを変えた構成において、シャッタ装置１０１および第２直進筒１４７の相対位置に応じて当接突起部２０８ｃ、２１４ｃと受け部１４７ｆ、１４７ｈの当接状態を変えることにより、シャッタ羽根の開放口径をテレ、Ｍ１、ワイドの３つのズームポジションにおいて変化させている。
【０１６１】
本実施形態では、レンズ鏡筒の構成部材である第２直進筒１４７を用いてシャッタ羽根の開き動作を阻止することにより、シャッタ羽根の開放口径を切り換えているため、従来技術のようにシャッタ羽根の開放口径を変化させるための専用部品を用いる必要がなくなり、レンズ鏡筒やカメラの大型化およびコストアップを防止することができる。
【０１６２】
しかも、本実施形態では、長さの異なる当接突起部２０８ｃおよび当接突起部２１４ｃと光軸方向長さが異なる第１受け部１４７ｆおよび第２受け部１４７ｈとの当接状態を、シャッタ装置１０１および第２直進筒１４７の相対位置に応じて切り換えることにより、複数のズームポジションのうち各ズームポジションに応じた開放口径に切り換えることができる。
（第３実施形態）
図３５から図３７を用いて本発明の第３実施形態について説明する。ここで、図３５から図３７は、本実施形態においてシャッタ羽根の開放口径を切り換える動作を説明するための模式図であり、シャッタ装置１０１および第２直進筒１４７を簡略化して示したものである。なお、レンズ鏡筒における他の構成部材およびカメラ本体の構造については、第１実施形態と同様である。
【０１６３】
図３５は、テレ状態であってシャッタ羽根が開き状態にあるときの模式図である。同図において、第２直進筒１４７は、シャッタ装置１０１よりも像面側に位置している。
【０１６４】
第２直進筒１４７の第２受け部１４７ｈは、第１受け部１４７ｆよりも光軸方向に延びている。そして、第２受け部１４７ｈの内周面は段差をもって形成されており、この先端領域における光軸からの距離（Ｌ２）は第１受け部１４７ｆにおける光軸からの距離（Ｌ１）よりも長くなっている。
【０１６５】
なお、第１シャッタ羽根２０８の当接突起部２０８ｃおよび第４シャッタ羽根２１４の当接突起部２１４ｃの長さはそれぞれ、同じである。
【０１６６】
図３５に示すテレ状態において、シャッタ羽根の開き動作が行われると、シャッタ羽根は全開状態となる。ここで、シャッタ羽根の当接突起部２０８ｃ、２１４ｃは、第２直進筒１４７の受け部１４７ｆ、１４７ｈに当接することはない。
【０１６７】
一方、レンズ鏡筒のズーミング動作により、図３５に示すテレ状態から図３６に示すミドル状態に切り換わると、シャッタ装置１０１および第２直進筒１４７が光軸方向に相対的に移動することにより両者の間隔が狭まる。このとき、第２受け部１４７ｈの先端領域は切り欠き部２１１ｅの光軸直交方向上に位置しており、シャッタ羽根を開こうとすると、第４シャッタ羽根２１４の当接突起部２１４ｃが第２受け部１４７ｈに当接する。
【０１６８】
これにより、シャッタ羽根の開き動作は阻止され、このときの開放口径はテレ状態（図３５）における開放口径よりも小さくなる。なお、第２直進筒１４７の第１受け部１４７ｆは、切り欠き部２１１ｄを覆う位置にはないため、第１シャッタ羽根２０８の当接突起部２０８ｃは第１受け部１４７ｆに当接しない。
【０１６９】
図３６に示すミドル状態からズーミング動作により図３７に示すワイド状態に切り換わると、シャッタ装置１０１および第２直進筒１４７の間隔が図３６に示す状態よりもさらに狭まる。このとき、第２直進筒１４７の第１受け部１４７ｆは切り欠き部２１１ｄの光軸直交方向上に位置しており、第２受け部１４７ｈは切り欠き部２１１ｅの光軸直交方向上に位置している。
【０１７０】
この状態において、シャッタ羽根を開こうとすると、第１シャッタ羽根２０８の当接突起部２０８ｃが第１受け部１４７ｆに当接する。これにより、シャッタ羽根の開き動作は阻止される。
【０１７１】
ここで、第１受け部１４７ｆは、第２受け部１４７ｈよりも光軸に近い位置にあるため、ワイド状態における開放口径は、ミドル状態における開放口径よりも小さくなる。また、第２受け部１４７ｈは、第１受け部１４７ｆよりも光軸から遠い位置にあるため、当接突起部２１４ｃは第２受け部１４７ｈに当接しない。
【０１７２】
本実施形態では、レンズ鏡筒の構成部材である第２直進筒１４７を用いてシャッタ羽根の開き動作を阻止することにより、シャッタ羽根の開放口径を切り換えているため、従来技術のようにシャッタ羽根の開放口径を変化させるための専用部品を用いる必要がなくなり、レンズ鏡筒やカメラの大型化およびコストアップを防止することができる。
【０１７３】
しかも、本実施形態では、光軸からの距離が異なり、光軸方向の長さが異なる第１受け部１４７ｆおよび第２受け部１４７ｈに対して当接突起部２０８ｃおよび当接突起部２１４ｃの当接状態をシャッタ装置１０１および第２直進筒１４７の相対位置に応じて切り換えることにより、複数のズームポジションのうち各ズームポジションに応じた開放口径に切り換えることができる。
【０１７４】
（第４実施形態）
図３８から図４０を用いて本発明の第４実施形態について説明する。ここで、図３８は本実施形態のカメラの外観斜視図であり、図３９および図４０は、ワイド状態における無限および至近の開放口径を切り換える動作を説明するための概略図であり、シャッタ装置１０１および第２直進筒１４７を簡略化して示している。なお、レンズ鏡筒における他の構成部材およびカメラ本体の構造は、第１実施形態と同様である。
【０１７５】
図３８において、カメラ本体１５９は、被写体に照明光を照射するフラッシュ（照明手段）４０１と、光軸方向に繰り出し繰り込み可能なレンズ鏡筒１０２と、撮影準備動作および撮影動作を開始させるために操作されるレリーズボタン１３０とを有している。
【０１７６】
図３９は、ズームポジションがワイドであって被写体距離が無限から６０ｃｍ（第１の焦点調節領域）にあるときのレンズ鏡筒の概略図を示している。
【０１７７】
第２直進筒１４７の内周面における光軸方向中央部には凹部１４７ｉが形成されている。ここで、凹部１４７ｉにおける光軸からの距離は、第２直進筒１４７の他の領域における光軸からの距離よりも遠くなっている。
【０１７８】
図３９に示す状態では、凹部１４７ｉがシャッタ板２１１の切り欠き部２１１ｄ、２１１ｅの光軸直交方向上に位置している。ここで、シャッタ羽根の開き動作が行われると、シャッタ羽根の当接突起部２０８ｃ、２１４ｃが凹部１４７ｉに当接して、シャッタ羽根の開き動作は阻止される。このときのシャッタ羽根の開放口径は、シャッタ羽根の開き動作が阻止されていないテレ状態における開放口径よりも小さくなっている。
【０１７９】
一方、ズームポジションがワイドであって被写体距離が６０ｃｍから２０ｃｍ（至近、第２の焦点調節領域）の場合には、レンズ鏡筒のフォーカシングにより第２直進筒１４７およびシャッタ装置１０１が光軸方向に相対的に移動して両者の間隔が離れて図４０に示す状態となる。
【０１８０】
この状態では、第２直進等１４７の先端領域が切り欠き部２１１ｄ、２１１ｅの光軸直交方向上に位置している。ここで、シャッタ羽根の開き動作が行われると、シャッタ羽根の当接突起部２０８ｃ、２１４ｃが第２直進筒１４７の先端領域に当接して、シャッタ羽根の開き動作が阻止される。このときのシャッタ羽根の開放口径は、図３９に示すワイド無限状態における開放口径よりも小さくなる。
【０１８１】
一方、レンズ鏡筒１０２が図４０に示すワイド至近状態にある場合において、カメラ本体１５９内に設けられたマイコン１１３は、撮影者のレリーズボタン１３０の操作に応じて撮影を行うときに、フラッシュ４０１を駆動する。
【０１８２】
すなわち、シャッタ装置１０１および第２直進筒１４７が図４０に示す位置関係にある場合には、レリーズボタン１３０が第２ストロークまで押圧操作されると、マイコン１１３の制御により閉じ状態にあるシャッタ羽根が開閉動作するとともに、フラッシュ４０１が発光する。
【０１８３】
本実施形態によれば、第２直進筒１４７の内周面に凹部１４７ｉを形成した構成とすることにより、ワイド状態における被写体距離（無限および至近）に応じてシャッタ装置１０１および第２直進筒１４７の相対位置を変えて、無限および至近におけるシャッタ羽根の開放口径を切り換えるようにしている。
【０１８４】
そして、ワイド至近状態で撮影を行う場合、シャッタ羽根の開放口径をワイド無限状態における開放口径よりも小さくするとともに、シャッタ羽根の開閉動作の際にフラッシュ４０１を発光させるようにしている。これにより、ピンボケと手振れの少ない写真撮影を行うことができる。
【０１８５】
【発明の効果】
本発明によれば、レンズ鏡筒の一部を構成する鏡筒構成部材を用いてシャッタ羽根の開き動作を開き途中で阻止したり許容したりすることにより、従来技術のように専用部材を用いることなくシャッタ羽根の開放口径を切り換えるようにしているため、レンズ鏡筒やカメラの大型化やコストアップを防止することができる。
【図面の簡単な説明】
【図１】シャッタ装置の分解斜視図。
【図２】シャッタ装置が組み込まれるレンズ鏡筒の分解斜視図。
【図３】レンズ鏡筒における動力伝達機構の分解斜視図。
【図４】沈胴状態の鏡筒断面図と鏡筒駆動を制御するブロック図。
【図５】ワイド状態の鏡筒断面図。
【図６】テレ状態の鏡筒断面図。
【図７】固定筒の展開図。
【図８】第１直進筒の展開図。
【図９】第２差動筒の展開図。
【図１０】第２差動筒におけるカム軌跡の説明図。
【図１１】収納状態からワイド待機状態、ワイド待機状態からＭ２状態へのズーミングと、フォーカシングの説明図。
【図１２】Ｍ２からテレ状態へのズーミングと、フォーカシングの説明図。
【図１３】テレ待機状態の鏡筒外観斜視図。
【図１４】テレ待機状態の鏡筒斜視図。
【図１５】シャッタ装置および第２直進筒の外観斜視図。
【図１６】第２直進筒の外観斜視図。
【図１７】テレ撮影状態でシャッタ羽根が閉じ状態にあるときのシャッタ羽根の配置図。
【図１８】テレ撮影状態でシャッタ羽根が閉じ状態にあるときのシャッタ装置背面図。
【図１９】テレ撮影状態でシャッタ羽根が開き状態にあるときのシャッタ羽根の配置図。
【図２０】テレ撮影状態でシャッタ羽根が開き状態にあるときのシャッタ装置と第２直進筒の外観斜視図。
【図２１】テレ撮影状態でシャッタ羽根が開き状態にあるときのシャッタ装置と第２直進筒の外観斜視図。
【図２２】テレ撮影状態でシャッタ羽根が開き状態にあるときのシャッタ装置背面図。
【図２３】ワイド待機状態の鏡筒外観斜視図。
【図２４】ワイド撮影状態でシャッタ羽根が閉じ状態にあるときのシャッタ装置と第２直進筒の外観斜視図。
【図２５】ワイド撮影状態でシャッタ羽根が開き状態にあるときのシャッタ羽根の配置図。
【図２６】ワイド撮影状態でシャッタ羽根が開き状態にあるときのシャッタ装置背面図。
【図２７】テレでシャッタ羽根が閉じ状態にあるときのシャッタ装置および第２直進筒の概略図。
【図２８】テレでシャッタ羽根が開き状態にあるときのシャッタ装置および第２直進筒の概略図。
【図２９】ワイドでシャッタ羽根が閉じ状態にあるときのシャッタ装置および第２直進筒の概略図。
【図３０】ワイドでシャッタ羽根が開き状態にあるときのシャッタ装置および第２直進筒の概略図。
【図３１】第２実施形態においてテレでシャッタ羽根が閉じ状態にあるときのシャッタ装置および第２直進筒の概略図。
【図３２】第２実施形態においてミドルでシャッタ羽根が開き状態にあるときのシャッタ装置および第２直進筒の概略図。
【図３３】第２実施形態においてワイドでシャッタ羽根が開き状態にあるときのシャッタ装置および第２直進筒の概略図。
【図３４】第２実施形態においてシャッタ羽根が閉じ状態にあるときのシャッタ羽根の配置図。
【図３５】第３実施形態においてテレでシャッタ羽根が閉じ状態にあるときのシャッタ装置および第２直進筒の概略図。
【図３６】第３実施形態においてミドルでシャッタ羽根が開き状態にあるときのシャッタ装置および第２直進筒の概略図。
【図３７】第３実施形態においてワイドでシャッタ羽根が開き状態にあるときのシャッタ装置および第２直進筒の概略図。
【図３８】第４実施形態におけるカメラの外観斜視図。
【図３９】第４実施形態においてワイド無限でシャッタ羽根が開き状態にあるときのシャッタ装置および第２直進筒の概略図。
【図４０】第４実施形態においてワイド至近でシャッタ羽根が開き状態にあるときのシャッタ装置および第２直進筒の概略図。
【符号の説明】
１０１：シャッタ装置
１０２：鏡筒ユニット
１０８：モータ
３０１ａ：パルス板部
１１０：パルス検出回路
１１１：モータコントロール回路
１１２ａ：コンパレータ
１１２ｂ：コンパレータ
１１３：マイコン
１１４：被写体距離検出回路
１１５：ズーミング信号処理回路
１１６：ロジックコントロール回路
１１７：測距モジュール
１１８：ズーミング操作部材
１２０：長軸ギア
１２２：ＰＩ（フォトインターラプター）
１３０：レリーズボタン
１４１：固定筒
１４１ａ：メスヘリコイド
１４１ｂ：フランジ部分
１４１ｃ：穴
１４１ｄ：キー溝
１４２：第１差動筒
１４２ａ：後端外周部
４２ｃ：直進溝
１４３：第１直進筒
１４３：ａ後端フランジ部
１４３ｂ：第１カム溝
１４３ｄ：台部
１４３ｅ：ピン部
１４４：第２差動筒
１４４ａ：穴部
１４４ｂ：第２カム溝
１４４ｃ：第３カム溝
１４５：１群レンズ鏡筒
１４５ａ：１群ヘリコイド
１４７：第２直進筒
１４７ａ：キー部
１４７ｂ：後端フランジ部
１４７ｆ：第１受け部
１４７ｇ：第１受け部の端面
１４７ｈ：第２受け部
１４７ｊ：第２受け部の端面
１４７ｋ・１４７ｍ：縦溝
１４８：２群レンズホルダー
１４８ａ：２群ピン
１５１：第２差動筒駆動ピン
１５２：第２レンズ群
１５３：２群バネ
１５５：２群マスク
１５９：カメラ本体
１６０：第１レンズ群
１７０：固定遮光ゴム
１７１：固定遮光シート
１７２：固定カバー
１７３：第１遮光ゴム
１７４：第１遮光シート
１７５：第２遮光ゴム
１７６：第２遮光シート
１７７：１群カバー
２０１：第１シャッタベース
２０２：シャッタヨーク
２０２ａ：外径側
２０２ｂ：内径側
２０３：シャッタコイル
２０４：シャッタボビン
２０４ａ：台部
２０４ｂ：凹部
２０５：シャッタロータ
２０６ａ・２０６ｂ：シャッタターミナルピン
２０７：第２シャッタベース
２０７ａ・２０７ｂ：角穴
２０７ｃ：軸
２０７ｄ：フランジ部
２０７ｅ：口径
２０８：第１シャッタ羽根
２０８ａ：長穴
２０８ｂ：回転中心穴
２０８ｃ：当接突起部
２０９：第２シャッタ羽根
２０９ａ：長穴
２０９ｂ：回転中心穴
２０９ｃ：先端部
２１０：反射板
２１１：シャッタ板
２１１ａ：角穴
２１１ｂ：バネ掛け部
２１１ｃ：ボス
２１１ｄ：切り欠き部
２１１ｅ：切り欠き部
２１１ｆ：開口
２１２：シャッタバネ
２１２ａ：先端
２１２ｂ：他端
２１３：第３シャッタ羽根
２１３ａ：長穴
２１３ｂ：回転中心穴
２１４：第４シャッタ羽根
２１４ａ：長穴
２１４ｂ：回転中心穴
２１４ｃ：当接突起部
２１５：ＰＲ（フォトリフレクター：光センサー）
２３０：シャッタコイルユニット
４０１：フラッシュ
【図１】
2004054178.tif 000004
【図２】
2004054178.tif 000005
【図３】
2004054178.tif 000006
【図４】
2004054178.tif 000007
【図５】
2004054178.tif 000008
【図６】
2004054178.tif 000009
【図７】
2004054178.tif 000010
【図８】
2004054178.tif 000011
【図９】
2004054178.tif 000012
【図１０】
2004054178.tif 000013
【図１１】
2004054178.tif 000014
【図１２】
2004054178.tif 000015
【図１３】
2004054178.tif 000016
【図１４】
2004054178.tif 000017
【図１５】
2004054178.tif 000018
【図１６】
2004054178.tif 000019
【図１７】
2004054178.tif 000020
【図１８】
2004054178.tif 000021
【図１９】
2004054178.tif 000022
【図２０】
2004054178.tif 000023
【図２１】
2004054178.tif 000024
【図２２】
2004054178.tif 000025
【図２３】
2004054178.tif 000026
【図２４】
2004054178.tif 000027
【図２５】
2004054178.tif 000028
【図２６】
2004054178.tif 000029
【図２７】
2004054178.tif 000030
【図２８】
2004054178.tif 000031
【図２９】
2004054178.tif 000032
【図３０】
2004054178.tif 000033
【図３１】
2004054178.tif 000034
【図３２】
2004054178.tif 000035
【図３３】
2004054178.tif 000036
【図３４】
2004054178.tif 000037
【図３５】
2004054178.tif 000038
【図３６】
2004054178.tif 000039
【図３７】
2004054178.tif 000040
【図３８】
2004054178.tif 000041
【図３９】
2004054178.tif 000042
【図４０】
2004054178.tif 000043